(57)【要約】【課題】アキュムレータによる軟起動着火時の脈動吸収で、着火遅れや黒煙、臭気の発生等の不具合をなくした圧力可変式燃焼バーナを提供する。【解決手段】燃油を噴霧するノズル２と、このノズル２に燃油を圧送する電磁ポンプ３と、この電磁ポンプ３とノズル２とを結ぶ送油管４の途中に設けられた開閉弁５と、燃焼用の空気を供給する燃焼ファン７とを備えたもので、前記電磁ポンプ３とノズル２とを結ぶ送油管４の途中には、送油圧の脈動は吸収せず、過剰圧のみを吸収するアキュムレータ６を備えたことにより、軟起動着火時には、脈動を吸収しないアキュムレータを使用することで、燃油供給が脈動して燃焼空気との混合が促進され、燃油を徐々に霧化して着火するのに好適であり、着火遅れによる黒煙や臭気の発生がなく、常に良好な着火を得ることが出来、又着火音も静かで安心して使用出来るものである。【選択図】  図２
2007003076.tif 000002
【特許請求の範囲】
【請求項１】
燃油を噴霧するノズルと、このノズルに燃油を圧送する電磁ポンプと、この電磁ポンプとノズルとを結ぶ送油管の途中に設けられた開閉弁と、燃焼用の空気を供給する燃焼ファンとを備えたものに於いて、前記電磁ポンプとノズルとを結ぶ送油管の途中には、送油圧の脈動は吸収せず、過剰圧のみを吸収するアキュムレータを備えた事を特徴とする圧力可変式燃焼バーナ。
【発明の詳細な説明】
【技術分野】
【０００１】
この発明は、ノズルから噴霧される燃油の噴霧圧力を可変して燃焼量を制御する圧力可変式燃焼バーナに関するものである。
【背景技術】
【０００２】
従来よりこの種のものでは、送油管の途中に送油圧の脈動を吸収する空間を備えたアキュムレータを備え、脈動から過剰圧までを吸収して、常に良好な燃焼を得るようにしたものであった。（例えば、特許文献１参照。）
【特許文献１】特開平５−１８０４１７号公報
【発明の開示】
【発明が解決しようとする課題】
【０００３】
ところでこの従来のものでは、故意的に脈動を発生させる軟起動着火を行うものであったが、図３に示すように、アキュムレータａのスプリングキャップｂとダイヤフラムｃので形成された空間部ｄによって脈動が緩和される為、燃油と空気との混合が抑制されてしまい、一定圧以上に圧力上昇しないと着火せず、着火遅れに伴う黒煙、臭い及び不安定な着火音の発生につながるものであった。
【課題を解決するための手段】
【０００４】
この発明はこの点に着目し上記問題点を解決する為、特にその構成を、燃油を噴霧するノズルと、このノズルに燃油を圧送する電磁ポンプと、この電磁ポンプとノズルとを結ぶ送油管の途中に設けられた開閉弁と、燃焼用の空気を供給する燃焼ファンとを備えたものに於いて、前記電磁ポンプとノズルとを結ぶ送油管の途中には、送油圧の脈動は吸収せず、過剰圧のみを吸収するアキュムレータを備えたものである。
【発明の効果】
【０００５】
この発明によれば、軟起動着火時には、脈動を吸収しないアキュムレータを使用することで、燃油供給が脈動して燃焼空気との混合が促進され、燃油を徐々に霧化して着火するのに好適であり、着火遅れによる黒煙や臭気の発生がなく、常に良好な着火を得ることが出来、又着火音も静かで安心して使用出来るものである。
【発明を実施するための最良の形態】
【０００６】
次にこの発明の一実施形態を図面に基づいて説明する。
１は石油給湯機のバーナ（ガンタイプバーナ）として使用される燃焼バーナで、燃油を噴霧するノズル２と、該ノズル２に燃油を圧送する電磁ポンプ３と、該電磁ポンプ３とノズル２とを結ぶ送油管４の途中に設けられた電磁弁から成る開閉弁５と、この開閉弁５と電磁ポンプ３に間に備えられ送油管４中の過剰の送油圧を吸収するアキュムレータ６と、燃焼用の空気を供給する燃焼ファン７とから構成されているものである。
【０００７】
前記アキュムレータ６は、筒状の本体８内に収納されたスプリング９と、このスプリング９に先端から側から被せられたスプリングキャップ１０と、本体８にカシメ付けされスプリングキャップ１０との間にはダイヤフラム１１を備えた連通孔１２付きの蓋体１３とから構成され、スプリング９のバネ力によって送油圧の過剰圧のみを吸収するものであり、一方従来よりスプリングキャップ１０の先端中央部分を窪ませて、ダイヤフラム１１との間に空間部を形成することで、微妙な脈動も吸収するようにしていたが、この発明ではスプリングキャップ１０の先端を平坦面として、ダイヤフラム１１との間の空間部を形成しないことで、脈動を吸収しないように改良を加えたものである。
【０００８】
又前記電磁ポンプ３は、吐出圧（供給圧）可変式で、この電磁ポンプ３に制御回路１４から供給されるパルス電圧のパルス幅（通電幅）の大小によって、燃油の供給圧（供給量）を変え、これに応じて燃焼ファン７も制御回路１４によって制御され、供給空気量を調節することで、要求熱量に対応した燃焼量で燃焼させるものである。
【０００９】
更にこの電磁ポンプ３では、燃焼停止時には送油管４内に停止時の燃焼量に応じて残圧が残り、これが再着火時に過剰な燃油がノズル２から噴霧されて、大きな着火騒音を発生するので、これを防止する為、停止時は電磁ポンプ３の駆動停止後に、開閉弁５を残圧が所定圧力に低下するまで開口を継続し、その後所定残圧で閉口して再着火時の軟着火を可能とするものであった。
【００１０】
次に燃焼バーナ１の軟起動着火では、電磁ポンプ３を制御し故意的に脈動を発生させるが、アキュムレータ６はダイヤフラム１１がスプリングキャップ１０と密着しており、この脈動を吸収できないので、脈動で燃油と燃焼空気との混合が促進され、定常圧に達する前にスムーズに着火が行われ、着火タイミングの遅れがなく、黒煙や臭気の発生の心配がもなく、常に良好な着火が得られ安心して使用出来るものである。
【００１１】
更に消火後の残圧逃がし時に、ノズル２から噴霧される燃油を良好に燃焼させるものであり、燃焼停止時に電磁ポンプ３の駆動停止と同時に、制御回路１４によって燃焼ファン７の回転数を残圧逃がし時の燃油量が、完全燃焼する残圧逃がし用空気量として可燃範囲となるように強制的に低下させるものであり、その後ポストパージで所定時間駆動を継続してから停止する。
【００１２】
又この他、電磁ポンプ３の駆動停止と同時に、燃焼ファン７への通電を停止して慣性で回転させることで、残圧逃がし時の燃油量を完全燃焼可能な燃焼空気量として可燃範囲を保持するようにしたり、更に電磁ポンプ３の駆動停止と同時に、燃焼ファン７への通電を停止すると共に、交流の半波を印加して瞬間的にブレーキをかけてから慣性で回転させ、残圧逃がし時の燃油量を完全燃焼可能な燃焼空気量として可燃範囲を保持するようにしても良いものである。
【００１３】
又開閉弁５による残圧逃がし時間は、燃焼停止時の電磁ポンプ３の吐出圧力によって変化するが、予め設定しておいても良いし、停止時に電磁ポンプ３のパルスで演算して決定しても良く、更に圧力センサ等のセンサで検知するようにしても良いものである。
【図面の簡単な説明】
【００１４】
【図１】この発明一実施形態を付した圧力可変式燃焼バーナの概略構成図。
【図２】同アキュムレータの説明図。
【図３】従来のアキュムレータの説明図。
【符号の説明】
【００１５】
１  燃焼バーナ
２  ノズル
３  電磁ポンプ
４  送油管
５  開閉弁
６  アキュムレータ
７  燃焼ファン
【図１】
2007003076.tif 000003
【図２】
2007003076.tif 000004
【図３】
2007003076.tif 000005